Podtech/llm-jp-corpus-v4-ja_patent huggingface dataset:
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
近位領域および遠位領域を有する中実の細長い芯部と、
前記細長い芯部の前記近位領域の少なくとも一部を取り囲むジャケットと、
前記細長い芯部に沿って延在し、かつ少なくとも部分的に前記細長い芯部と前記ジャケットとの間に配置されるように位置決めされた１つまたは複数の導電性リード線と、
前記細長い芯部の前記遠位領域の少なくとも一部の周りに位置決めされた可撓性構造体と、を備える装置であって、
前記１つまたは複数の導電性リード線には少なくとも１つの集積回路が結合している、
装置。
【請求項２】
前記細長い芯部は、前記近位領域が前記遠位領域の断面よりも大きい断面を有するような先細り形状を有する、請求項１に記載の装置。
【請求項３】
前記可撓性構造体は多条コイルである、請求項１または請求項２に記載の装置。
【請求項４】
その上に形成された凹部を有するハウジングと、
複数の電極および前記複数の電極に電気的に接続された少なくとも１つの第１の集積回路を含むフレキシブル基板であって、前記少なくとも１つの第１の集積回路は、
プローブ信号を生成して前記プローブ信号により前記複数の電極を駆動させるための第１の回路と、
前記プローブ信号の前記フレキシブル基板の外部への送信に応答して前記複数の電極によって受信された検出信号を処理するための第２の回路と
を有するフレキシブル基板と、
を備え、
前記フレキシブル基板は前記ハウジングの周囲の周りに巻かれており、かつ前記ハウジングの前記凹部を通り抜けている部分を有しており、前記複数の電極は前記ハウジングの外側に配置されており、かつ前記ハウジングに対して外側に向けられていることを特徴とする、
血管系における組織のインピーダンスを検出するための、請求項１〜３のいずれか一項に記載の装置。
【請求項５】
前記ハウジングは前記凹部が少なくとも部分的に中空であり、
前記フレキシブル基板は前記ハウジングの周辺の周りに巻きつけられ、前記少なくとも１つの集積回路は前記ハウジングの前記凹部に位置付けされかつ配置されている、請求項４に記載の装置。
【請求項６】
前記第１の回路は第１の集積回路を含み、かつ前記第２の回路は第２の集積回路を含み、
前記第１の集積回路および前記第２の集積回路は互いに離間して前記フレキシブル基板の上に配置され、
前記第１の集積回路が前記装置内で前記第２の集積回路に対し垂直に積み重ねられるように、前記フレキシブル基板が前記ハウジングの周囲に巻き付けられる、請求項４または請求項５に記載の装置。
【請求項７】
前記フレキシブル基板はそれぞれのリード線に接合されるように構成された複数の導電性パッドをその上にさらに含む、請求項４〜６のいずれか一項に記載の装置。
【請求項８】
前記ハウジングは開口部を含み、かつ前記それぞれのリード線は前記開口部を通り抜ける、請求項４〜７のいずれか一項に記載の装置。
【請求項９】
前記ハウジングは直径がその最大値で０．０１２インチ〜０．０１５インチである、請求項４〜８のいずれか一項に記載の装置。
【請求項１０】
前記ハウジングの少なくとも一部は円筒状の形状を有し、かつ
前記フレキシブル基板は前記円筒状の形状の周囲に巻き付けられる、
請求項４〜９のいずれか一項に記載の装置。
【請求項１１】
前記第１の集積回路および前記第２の集積回路が前記ハウジングの前記凹部に配置されるように、前記フレキシブル基板が前記ハウジングに巻き付けられる、請求項４〜１０のいずれか一項に記載の装置。
【請求項１２】
前記ハウジングの少なくとも一部は中空円筒の形状を有し、
前記ハウジングの少なくとも一部は前記中空円筒の一方の端部に第１の開口部を備え、
前記フレキシブル基板は前記中空円筒の周囲に巻き付けられ、
前記ハウジングの前記凹部は前記中空円筒を通過する第２の開口部を備え、
前記第１の集積回路は前記第２の集積回路に対し垂直に積み上げられ、前記第２の集積回路は前記凹部の前記中空円筒の内部に存在し、
前記フレキシブル基板は複数の導電性パッドを備え、かつ
前記装置は前記第１の開口部を通過する複数のリード線であって、前記中空円筒の内部で前記複数の導電性パッドと接続される、複数のリード線を備える、
請求項４〜１１のいずれか一項に記載の装置。
【請求項１３】
内腔を画定する管状ジャケットを形成する工程と、
細長い芯部および少なくとも１つの導電性リード線を前記管状ジャケットの前記内腔に通す工程と、
ハウジングの少なくとも一部の周囲にフレキシブル基板を巻き付ける工程であって、前記ハウジングの少なくとも一部は中空円筒形状と、前記中空円筒形状の側面を通過する凹部を備え、前記フレキシブル基板はその上に１つまたは複数の集積回路を配置し、かつ前記巻き付ける工程は前記フレキシブル基板を巻き付けて前記凹部に前記１つまたは複数の集積回路を位置付けすることを含む、工程と、
可撓性構造体の一部を前記管状ジャケットの前記内腔に通す工程と、
前記管状ジャケットにネッキング加工を施して前記内腔のサイズを減少させる工程と
を含む、動物の解剖学的管の中に挿入される装置を組み立てるための方法。
【請求項１４】
前記可撓性構造体は多条コイルであり、かつ
前記方法は前記多条コイルを前記細長い芯部の周りに位置決めする工程をさらに含む、
請求項１３に記載の方法。
【請求項１５】
前記細長い芯部を前記管状ジャケットの前記内腔に通す工程は、中実の細長い芯部を前記内腔に通すことを含む、請求項１３または請求項１４に記載の方法。
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
血管が閉塞しているかどうかを判定するための機器であって、
送信機および受信機を備える撮像装置との通信のためのインターフェースと、
ユーザインターフェースと、
以下のステップを実行するようにプログラムされるプロセッサと、を備え、
前記ステップは、
前記ユーザインターフェースを介して、前記撮像装置を患者の身体のどこに配置するかをユーザに表示し、
放射線を送信するように前記撮像装置に指示し、
反射された放射線を前記撮像装置から受信し、
機械学習を使用して前記反射された放射線を処理して、前記撮像装置が患者の血管に対して正しく配置されているかどうかを前記反射された放射線から判定し、
前記撮像装置が正しく配置されていない場合に前記撮像装置が正しく配置されるまで前記撮像装置を再配置するために前記ユーザインターフェースを介してユーザに表示し、
前記撮像装置を使用して患者の血管に圧力を加えるようにユーザに前記ユーザインターフェースを介して表示し、
前記撮像装置に追加的な放射線を送信するように指示し、
追加的な反射された放射線を前記撮像装置から受信し、
血管が閉塞されているかどうかを少なくとも前記追加的な反射された放射線から判定する、
ことである機器。
【請求項２】
前記撮像装置から受信された前記反射された放射線および前記追加的な反射された放射線は、画像データを含む、請求項１に記載の機器。
【請求項３】
前記プロセッサは、前記撮像装置に連続的に送信および受信するように命令するようにさらにプログラムされる、請求項１または２のいずれか１項に記載の機器。
【請求項４】
前記プロセッサは、少なくとも前記追加的な反射された放射線から、ユーザが患者の血管に所定の圧を加えているかどうかを判定し、もしそうでなければ、前記撮像装置を動かすようにユーザにさらに表示するようにさらにプログラムされる、請求項１から３のいずれか１項に記載の機器。
【請求項５】
前記撮像装置は、超音波信号を送信するように構成される、請求項１〜４のいずれか１項に記載の機器。
【請求項６】
前記プロセッサは、１つ以上の機械学習および／または深層学習アルゴリズムを用いて血管が閉塞されているかどうかを判定するようにプログラムされている、請求項１から５のいずれか１項に記載の機器。
【請求項７】
前記プロセッサは、超音波画像が前記ユーザインターフェースに直接提供されるエキスパートモードを提供するようにさらにプログラムされる、請求項１から６のいずれか１項に記載の機器。
【請求項８】
撮像装置と、前記撮像装置と通信しユーザインターフェースを備える計算装置とを使用して血管閉塞を判定する方法であって、
撮像装置を患者の身体のどこに配置すべきかをユーザに前記ユーザインターフェースを介して表示し、
前記撮像装置から放射線を送信し、
反射された放射線を受信し、
機械学習を使用して前記反射された放射線を処理して、前記撮像装置が患者の血管に対して正しく配置されているかどうかを前記反射された放射線から判定し、
前記撮像装置が正しく配置されていない場合、前記撮像装置が正しく配置されるまで前記撮像装置を再配置するためにユーザに前記ユーザインターフェースを介して表示し、
前記撮像装置を使用して患者の血管に圧力を加えるようにユーザに前記ユーザインターフェースを介して表示し、
前記撮像装置から追加的な放射線を送信し、
前記撮像装置から追加的な反射された放射線を受信し、
血管が閉塞されているかどうかを少なくとも前記追加的な反射された放射線から判定する、
ことを含む方法。
【請求項９】
前記撮像装置から送信される放射線は、超音波放射である請求項８に記載の方法。
【請求項１０】
前記放射線は、連続的に送信される、請求項８または９のいずれか１項に記載の方法。
【請求項１１】
前記追加的な反射された放射線から、ユーザが患者の血管に正しい圧力を加えているかどうかを判定し、もしそうでなければ、血管が閉塞されているかどうかを判定する前に、前記圧力通知ステップを繰り返すステップをさらに含む、請求項８から１０のいずれか１項に記載の方法。
【請求項１２】
前記血管が閉塞しているかどうかを判定するステップは、１つ以上の機械学習および／または深層学習アルゴリズムを使用することによって行われる、請求項８〜１１のいずれか１項に記載の方法。
【請求項１３】
機械学習を用いて目印検出および／または解剖学的基準面検出のステップをさらに含む、請求項８から１２のいずれか１項に記載の方法。
【請求項１４】
血管が閉塞しているかどうかを判定することは、目印位置および／または解剖学的基準面位置での血管の圧迫に基づく、請求項１３に記載の方法。
【請求項１５】
コンピュータにより実行されるとき、請求項８〜１４のいずれか１項に記載の方法をコンピュータに実行させる血管閉塞の判定のための、撮像装置およびユーザインターフェースを有するシステムのための処理ロジックによって実行される命令を備えるコンピュータ可読媒体。
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
臍帯血採取装置（１）であって、装置（１）は、先細ノズル（４）と流体連通するチャンバ（２）を備え、かつ先細ノズル（４）はその長さに沿って少なくとも１つの段部（２０）をさらに備える、臍帯血採取装置。
【請求項２】
前記先細ノズル（４）が、遠位端（１０）、開口部（１２）、および内部チャネル（１４）を備える、請求項１に記載の装置（１）。
【請求項３】
前記先細ノズル（４）が、その長さに沿って一連の段部（２０）を含み、当該一連の段部（２０）が、異なる直径を有する一連の収集容器（１００）と係合するように構成される、請求項２に記載の装置（１）。
【請求項４】
前記一連の段部（２０）の一つが前記一連の収集容器（１００）の一つの開口端部（１０６）と係合するように構成される、請求項３に記載の装置（１）。
【請求項５】
前記ノズル（４）が、その遠位端（１０）にルアーロック（５０）をさらに備える、請求項１〜４のいずれか一項に記載の装置（１）。
【請求項６】
前記ルアーロック（５０）が、前記ノズル（４）の前記遠位端（１０）と一体化されかつ恒久的に接続されている、請求項５に記載の装置（１）。
【請求項７】
前記ルアーロック（５０）は、前記ノズル（４）の遠位端（１０）のネジ山にねじ込まれる前記ルアーロック（５０）上の雄型継手によって前記ノズル（４）に固定されるように構成される、請求項５に記載の装置（１）。
【請求項８】
前記ルアーロック（５０）は、前記ノズル（４）の遠位端（１０）の雄型継手にねじ込まれる前記ルアーロック（５０）上の雌型継手によって前記ノズル（４）に固定するように構成される、請求項５に記載の装置（１）。
【請求項９】
前記チャンバ（２）が、空間（７）を囲む壁（８）、臍帯の遠位端を受容するようになっている開口端（６ａ）、ノズル（４）と流体連通している開口端（６ｂ）とを備える、請求項１〜８のいずれか一項に記載の装置。
【請求項１０】
前記チャンバ（２）が、前記一連の収集容器（１００）の一つの前記開放端（１０６）を受容し、これと係合するようになっている段部（１６）をさらに備える、請求項１〜９のいずれか一項に記載の装置（１）。
【請求項１１】
前記チャンバ（２）の前記壁（８）が、テクスチャード加工された内面をさらに含む、請求項１〜１０のいずれか一項に記載の装置（１）。
【請求項１２】
前記装置が、ポリプロピレン、ポリエチレン（ＰＥ）、ポリエチレンテレフタレート（ＰＥＴ）、ポリエチレンテレフタレートコポリマー（ＰＥＴＧ）、非晶質ポリエチレンテレフタレート（ＡＰＥＴ）、アクリロニトリル−ブタジエン−スチレン（ＡＢＳ）、スチレンアクリロニトリル（ＳＡＮ）、耐衝撃性ポリスチレン（ＨＩＰＳ）、ポリカーボネート（ＰＣ）、外科用ステンレス鋼から選択される耐久性と同時に剛性のある材料から構成される、請求項１〜１１のいずれか一項に記載の装置（１）。
【請求項１３】
前記装置がポリスチレンから構成されている、請求項１〜１１のいずれか一項に記載の装置（１）。
【請求項１４】
スタンド（４００）が、基部（４０２）と容器（４０４）を備え、容器（１００）のキャップを固定し収容するように構成されたエンクロージャ（４０６、５０６）を任意にさらに備える、請求項１に記載の装置（１）と共に使用するためのスタンド（４００）。
【請求項１５】
請求項１に記載の装置（１）と請求項１４に記載のスタンド（４００）を含む、臍帯血を採取するためのキット。
【手続補正書】
【提出日】令和2年6月4日(2020.6.4)
【手続補正１】
【補正対象書類名】明細書
【補正対象項目名】０６６９
【補正方法】変更
【補正の内容】
【０６６９】
(化合物dT4)
【化１７７】
2020512843.tif 000001
(FmocNH-PEG2-ヒドロキシル-ジイソプロピルアミノ-dT(5'-DMT)ホスホロアミダイト(dT4)の合成)
5'-DMT-デオキシチミジン(4.30g、7.89mmol)及びDIEA(1.51mL、8.68mmol)のCH2Cl2(40mL)撹拌懸濁液をアルゴン下で-78℃に冷却した。ビス(ジイソプロピルアミノ)クロロホスフィン(2.32g、8.68mmol)のCH2Cl2(10mL)溶液を滴加した。混合物を冷却浴から取り出し、1時間撹拌した。CH2Cl2(15mL)中のFmocNH-Peg2-OH(S108、2.93g、7.89mmol)を、反応混合物に添加し、その後、ETT(アセトニトリル中0.25M、18.9mL)の溶液に添加した。一晩撹拌した後、混合物を真空中で濃縮し、EtOAcに再溶解させ、飽和NaHCO3(水性)及びブラインで洗浄した。有機層を真空中で除去すると、白色の泡状物が得られた。この粗材料をSiO2クロマトグラフィーにより精製すると、表題ホスホロアミダイト(dT4、4.1g、50％収率)が得られた。
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
ユーザの皮膚を処置するように構成されたスキンケアデバイスであって、
第１の面を有する第１の側、第２の面を有する前記第１の側と実質的に反対の第２の側、および前記第１の側から前記第２の側に延びており、第３の面を有する中間部分を有する本体と、
前記本体内に配設され、前記皮膚を処置するための光を放出するように構成された光源であって、前記第１の側に隣接して前記光を放出するように構成された、光源と、
前記本体内に配設され、前記スキンケアデバイスの脈動を生成するように構成されたモータと、
前記本体内に配設された温度制御ユニットであって、前記皮膚を処置するための熱を発生し、前記熱を前記第１の側に伝達するように構成された、温度制御ユニットと、
前記中間部分上に配設されたユーザコントロールであって、前記光源、前記モータ、および前記温度制御ユニットを動作させるように構成された、ユーザコントロールと
を備え、
前記第１の側および前記中間部分は、前記第２の側のほうへ延びている溝を協働して画成し、
前記光源は前記溝の中に前記光を放出するスキンケアデバイス。
【請求項２】
前記光源は発光ダイオード（「ＬＥＤ」）ライトを備える請求項１に記載のスキンケアデバイス。
【請求項３】
前記光源は、赤色光を放出するように構成された請求項２に記載のスキンケアデバイス。
【請求項４】
前記光源は、緑色光を放出するように構成された請求項３に記載のスキンケアデバイス。
【請求項５】
前記光源は、青色光を放出するように構成された請求項４に記載のスキンケアデバイス。
【請求項６】
前記第２の面は突出部のセットを画成する請求項１に記載のスキンケアデバイス。
【請求項７】
前記スキンケアデバイスの温度を検出し、それが過熱した場合、前記スキンケアデバイスを停止するように構成された前記本体内に配設されたセンサをさらに備える請求項１に記載のスキンケアデバイス。
【請求項８】
前記溝の中に挿入されるように構成された取外し可能なロッキング機構をさらに備える請求項１に記載のスキンケアデバイス。
【請求項９】
前記ロッキング機構は、実質的に透明であり、プラスチックからなる請求項８に記載のスキンケアデバイス。
【請求項１０】
前記ロッキング機構によって前記第１の側上の所定の位置に固定されたフェイシャルマスクをさらに備える請求項９に記載のスキンケアデバイス。
【請求項１１】
前記本体内に配設されたコントローラおよび前記コントローラに動作可能に接続されたインターフェースをさらに備え、前記インターフェースは、携帯電話に情報を送信するように構成された請求項１に記載のスキンケアデバイス。
【請求項１２】
前記第３の面はシリコーンからなる請求項１に記載のスキンケアデバイス。
【請求項１３】
ユーザの皮膚を処置するように構成されたスキンケアデバイスであって、
第１の面を有する第１の側、第２の面を有する前記第１の側と実質的に反対の第２の側、および前記第１の側から前記第２の側に延びており、第３の面を有する中間部分を有する本体であって、前記第１の側および前記中間部分は、前記第２の側のほうへ延びている溝を協働して画成し、前記第２の面は突出部のセットを画成し、前記第３の面はシリコーンを備える、本体と、
前記本体内に配設され、前記皮膚を処置するための光を放出するように構成された光源であって、前記第１の側に隣接して前記光を放出するように構成され、前記光源はＬＥＤライトを備え、前記光源は前記溝の中に前記光を放出する、光源と、
前記本体内に配設され、前記スキンケアデバイスの脈動を生成するように構成されたモータと、
前記本体内に配設された温度制御ユニットであって、前記皮膚を処置するための熱を発生し、前記熱を前記第１の側に伝達するように構成された、温度制御ユニットと、
前記溝の中に挿入されるように構成された取外し可能なロッキング機構であって、プラスチックを備え、実質的に透明である、取外し可能なロッキング機構と、
前記中間部分上に配設されたユーザコントロールであって、前記光源、前記モータ、および前記温度制御ユニットを動作させるように構成された、ユーザコントロールと
を備えるスキンケアデバイス。
【請求項１４】
前記光源は、赤色光、緑色光、および青色光を放出するように構成された請求項１３に記載のスキンケアデバイス。
【請求項１５】
前記第１の側上に配設され、前記ロッキング機構によって前記第１の側上の所定の位置に固定されたフェイシャルマスクをさらに備える請求項１４に記載のスキンケアデバイス。
【請求項１６】
前記本体内に配設されたコントローラおよび前記コントローラに動作可能に接続されたインターフェースをさらに備え、前記インターフェースは、モバイルフォンに情報を送信するように構成された請求項１５に記載のスキンケアデバイス。
【請求項１７】
前記スキンケアデバイスの温度を検出し、それが過熱した場合、前記スキンケアデバイスを停止するように構成された前記本体内に配設された第１のセンサおよび第２のセンサをさらに備える請求項１３に記載のスキンケアデバイス。
【請求項１８】
ユーザの皮膚を処置するように構成されたスキンケアデバイスであって、
第１の面を有する第１の側、第２の面を有する前記第１の側と実質的に反対の第２の側、および前記第１の側から前記第２の側に延びており、第３の面を有する中間部分を有する本体であって、前記第１の側および前記中間部分は、前記第２の側のほうへ延びている環状溝を画成し、前記第２の面は、金属からなる突出部のセットを画成し、前記第３の面はシリコーンを備える、本体と、
前記本体内に配設され、前記皮膚を処置するための光を放出するように構成された光源であって、前記第１の側に隣接して前記光を放出するように構成され、前記光源はＬＥＤライトを備え、前記光源は前記環状溝の中に前記光を放出する、光源と、
前記スキンケアデバイスの脈動を生成するように構成された前記本体内に配設されたモータと、
前記本体内に配設された温度制御ユニットであって、前記皮膚を処置するための熱を発生し、前記熱を前記第１の側に伝達して前記皮膚を処置するように構成され、前記皮膚を処置するために前記本体の前記第１の側を冷却するように構成された、温度制御ユニットと、
前記溝の中に挿入されるように構成された取外し可能なロッキング機構であって、プラ
スチックを備え、実質的に透明である、取外し可能なロッキング機構と、
前記本体内に配設されたコントローラ、および前記コントローラに動作可能に接続され、情報を送信するように構成されたインターフェースと、前記中間部分上に配設されたユーザコントロールであって、前記光源、前記モータ、および前記温度制御ユニットを動作させるように構成された、ユーザコントロールと
を備えるスキンケアデバイス。
【請求項１９】
光源は、赤色光、緑色光、および青色光を放出するように構成された請求項１８に記載のスキンケアデバイス。
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
式（Ａ）の構造を有する化合物：
【化１】
2020512337.tif 000001
またはその薬学的に許容される塩
（式中、
Ｒ１およびＲ２のそれぞれが水素であり、
ＸはＳおよびＳｅから選択され、
Ｗ１およびＷ２のそれぞれが−ＣＨ−であり、かつ
Ｙｑは−ＯＣＦ３、−ＳＣＦ３、−ＣＦ３および−ＳＦ５から選択される）。
【請求項２】
ＸはＳである、請求項１に記載の化合物。
【請求項３】
ＸはＳｅである、請求項１に記載の化合物。
【請求項４】
Ｙｑは−ＯＣＦ３である、請求項１に記載の化合物。
【請求項５】
Ｙｑは−ＳＣＦ３である、請求項１に記載の化合物。
【請求項６】
Ｙｑは−ＣＦ３である、請求項１に記載の化合物。
【請求項７】
Ｙｑは−ＳＦ５である、請求項１に記載の化合物。
【請求項８】
前記化合物は６−（ペンタフルオロスルファニル）ベンゾ［ｄ］チアゾール−２−アミン（Ｉ）：
【化２】
2020512337.tif 000002
である、請求項１に記載の化合物。
【請求項９】
前記化合物は５−（ペンタフルオロスルファニル）ベンゾ［ｄ］チアゾール−２−アミン（ＩＩ）：
【化３】
2020512337.tif 000003
である、請求項１に記載の化合物。
【請求項１０】
前記化合物は６−（ペンタフルオロスルファニル）ベンゾ［ｄ］［１，３］セレナゾール−２−アミン（Ｖ）：
【化４】
2020512337.tif 000004
である、請求項１に記載の化合物。
【請求項１１】
前記化合物は６−（トリフルオロメチル）ベンゾ［ｄ］［１，３］セレナゾール−２−アミン（ＶＩ）：
【化５】
2020512337.tif 000005
である、請求項１に記載の化合物。
【請求項１２】
前記化合物は６−（トリフルオロメトキシ）ベンゾ［ｄ］［１，３］セレナゾール−２−アミン（ＶＩＩ）：
【化６】
2020512337.tif 000006
である、請求項１に記載の化合物。
【請求項１３】
前記化合物は６−（（トリフルオロメチル）チオ）ベンゾ［ｄ］［１，３］セレナゾール−２−アミン（ＩＸ）：
【化７】
2020512337.tif 000007
である、請求項１に記載の化合物。
【請求項１４】
治療的有効量の請求項1に記載の化合物またはその薬学的に許容される塩と、
薬学的に許容される賦形剤、担体、アジュバント、溶媒またはそれらのいずれかの組み合わせと
を含む医薬組成物。
【請求項１５】
前記医薬組成物は経皮製剤である、請求項１４に記載の医薬組成物。
【請求項１６】
前記医薬組成物は経口製剤である、請求項１４に記載の医薬組成物。
【請求項１７】
請求項１５に記載の医薬組成物を含む経皮パッチ。
【請求項１８】
慢性痛の治療のための薬の製造における、請求項１に記載の化合物またはその薬学的に許容される塩の使用。
【請求項１９】
てんかんの治療のための薬の製造における、請求項１に記載の化合物またはその薬学的に許容される塩の使用。
【請求項２０】
前記薬は経口で投与される、請求項１９に記載の使用。
【請求項２１】
慢性痛の治療のための薬の製造における、請求項１４に記載の医薬組成物の使用。
【請求項２２】
てんかんの治療のための薬の製造における、請求項１４に記載の医薬組成物の使用。
【請求項２３】
前記薬は経口で投与される、請求項２２に記載の使用。
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
有効量のプラスミノーゲンを含む、被験者の組織器官のコラーゲンの沈着または繊維化を予防及び／または治療するための薬物組成物であって、前記被験者が組織器官の繊維化に罹患しやすい、組織器官の繊維化傾向がある、またはその他の疾患に罹患し、且つ組織器官の繊維化が伴われる、薬物組成物。
【請求項２】
前記組織器官のコラーゲン沈着または繊維化は、皮膚の繊維化、血管の繊維化、心臓の繊維化、肺の繊維化、肝の繊維化、もしくは腎の繊維化を含む、請求項１に記載の薬物組成物。
【請求項３】
前記組織器官のコラーゲン沈着または繊維化は、感染、炎症、過敏感反応、腫瘍、組織虚血、組織器官鬱血、化学物質、または放射もしくは環境汚染による損傷に引き起こされるまたは伴われるものを含む、請求項１または２に記載の薬物組成物。
【請求項４】
前記組織器官のコラーゲン沈着または繊維化は、細菌、ウイルスまたは寄生虫の感染に引き起こされる組織器官の病変による組織器官のコラーゲン沈着または繊維化を含む、請求項３に記載の薬物組成物。
【請求項５】
前記組織器官のコラーゲン沈着または繊維化は、結核菌の感染による肺の繊維化、Ｂ型肝炎ウイルス、Ｃ型肝炎ウイルス、またはＥ型肝炎ウイルスの感染による肝臓繊維化、または住血吸虫の感染による肝の繊維化を含む、請求項４に記載の薬物組成物。
【請求項６】
前記組織器官のコラーゲン沈着または繊維化は、無菌性炎症または自己免疫反応によるものである、請求項３に記載の薬物組成物。
【請求項７】
前記組織器官のコラーゲン沈着または繊維化は、慢性糸球体腎炎、腎盂腎炎、ネフローゼ症候群、腎機能不全、または尿毒症による腎臓繊維化である、請求項６に記載の薬物組成物。
【請求項８】
前記組織器官のコラーゲン沈着または繊維化は、ガンによる組織器官の損傷、例えば、肺癌による肺の繊維化、肝癌による肝の繊維化、または腎臓癌による腎臓繊維化によるものである、請求項３に記載の薬物組成物。
【請求項９】
前記組織器官のコラーゲン沈着または繊維化は、慢性虚血性組織損傷、例えば、アテローム性動脈硬化症、冠状動脈性心疾患による心臓虚血性繊維化、または慢性虚血性腎損傷による腎臓繊維化によるものである、請求項３に記載の薬物組成物。
【請求項１０】
前記組織器官のコラーゲン沈着または繊維化は薬物によるものである、請求項３に記載の薬物組成物。
【請求項１１】
前記組織器官のコラーゲン沈着または繊維化は、薬物性の肝繊維化または腎繊維化であるか、または、前記組織器官のコラーゲン沈着または繊維化は、吸入性化学物質または環境汚染による肺の繊維化である、請求項１０に記載の薬物組成物。
【請求項１２】
前記組織器官のコラーゲン沈着または繊維化は、全身性免疫性疾患によるものであり、前記全身性免疫性疾患は、全身性エリテマトーデス、全身性硬化症、もしくは強直性脊椎炎であり、または組織器官の繊維化は特発性肺繊維化である、請求項６に記載の薬物組成物。
【請求項１３】
前記薬物組成物は１種以上の治療手段または１種以上のその他の薬物、例えば、脂質低下薬、抗血小板薬、血圧降下薬、血管拡張薬、血糖降下薬、抗凝固薬、血栓溶解薬、肝臓保護薬、抗繊維化薬、抗不整脈薬、強心薬、利尿薬、抗腫瘍薬、放射化学療法薬、炎症調節薬、免疫調節薬、抗ウイルス薬、もしくは抗生物質と組み合わせて投与される、請求項１〜１２のいずれか１項に記載の薬物組成物。
【請求項１４】
前記プラスミノーゲンは配列２と少なくとも７５％、８０％、８５％、９０％、９５％、９６％、９７％、９８％または９９％の配列同一性を有し、且つ依然プラスミノーゲン活性を有するものである、請求項１〜１３のいずれか１項に記載の薬物組成物。
【請求項１５】
前記プラスミノーゲンは、配列１４に示されるプラスミノーゲン活性フラグメントを含有し、且つ依然プラスミノーゲン活性を有するタンパク質である；または、前記プラスミノーゲンは、Ｇｌｕ−プラスミノーゲン、Ｌｙｓ−プラスミノーゲン、ミニプラスミノーゲン、マイクロプラスミノーゲン、δ−プラスミノーゲンまたはそれらのプラスミノーゲン活性を保持した変異体から選択される、請求項１〜１３のいずれか１項に記載の薬物組成物。
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
下記のもの：
【化１】
2020512280.tif 000001
（３−ブロモ−２−オキソ−プロピオン酸４−イソプロペニル−シクロヘキサ−１−エン
イルメチルエステル）であるペリリルアルコール及び３−ブロモピルベートの複合体又は
該複合体の薬学的に許容される塩。
【請求項２】
３−ブロモ−２−オキソ−プロピオン酸４−イソプロペニル−シクロヘキサ−１−エン
イルメチルエステルを含む医薬組成物。
【請求項３】
薬学的に許容される賦形剤をさらに含む、請求項２に記載の医薬組成物。
【請求項４】
処置を必要とする患者でのがんの治療のための、請求項２又は３に記載の医薬組成物であって、治療上有効量の３−ブロモ−２−オキソ−プロピオン酸４−イソプロペニル−シクロヘキサ−１−エンイルメチルエステルを含む医薬組成物。
【請求項５】
前記がんが、肺がん、耳、鼻及び咽頭のがん、白血病、結腸がん、メラノーマ、膵臓がん、乳がん（mammary cancer）、前立腺がん、乳がん（breast cancer）、造血系がん、卵巣がん、基底細胞がん、胆道がん；膀胱がん；骨肉腫；乳がん（breast cancer）；子宮頸がん；絨毛癌；結腸及び直腸がん；結合組織がん；消化系のがん；子宮内膜がん；食道がん；眼がん；頭頸部がん；胃がん；上皮内新生物；腎臓がん；喉頭がん；白血病、例えば急性骨髄性白血病、急性リンパ性白血病、慢性骨髄性白血病、慢性リンパ性白血病；肝臓がん；リンパ腫、例えばホジキン及び非ホジキンリンパ腫；骨髄腫；線維腫、神経芽細胞腫；口腔がん（例えば、口唇、下、口及び咽頭）；卵巣がん；膵臓がん；前立腺がん；網膜芽細胞腫；横紋筋肉腫；直腸がん；腎臓がん；呼吸器系のがん；肉腫；皮膚がん；胃がん；睾丸がん；甲状腺がん；子宮がん及び泌尿器系のがんからなる群から選択される、請求項４に記載の医薬組成物。
【請求項６】
３−ブロモ−２−オキソ−プロピオン酸４−イソプロペニル−シクロヘキサ−１−エン
イルメチルエステルの合成方法であって、
ａ）１，１−ジクロロジメチルエーテルをブロモピルビン酸と反応させて、３−ブロモ
ピルビン酸クロライドを生成すること；及び
ｂ）３−ブロモピルビン酸クロライドをペリリルアルコールと反応させて、３−ブロモ
−２−オキソ−プロピオン酸４−イソプロペニル−シクロヘキサ−１−エンイルメチルエ
ステルを生成すること
を含む方法。
【請求項７】
１，１−ジクロロジメチルエーテルをブロモピルビン酸と反応させる前記段階を、約０
〜約２０℃の温度で行う、請求項６に記載の方法。
【請求項８】
３−ブロモピルビン酸クロライドをペリリルアルコールと反応させる前記段階を、約−
１０〜約１０℃の温度で行う、請求項６に記載の方法。
【請求項９】
３−ブロモピルビン酸クロライドをペリリルアルコールと反応させる前記段階を、重炭
酸ナトリウム及びｎ−ヘプタンの存在下に行う、請求項６に記載の方法。
【請求項１０】
請求項６〜９のいずれか１項に記載の方法の生成物。
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
位相コントラスト画像化システム用のＸ線検出器であって、前記Ｘ線検出器が、
シンチレーション装置と、
前記シンチレーション装置に光学的に結合された複数の感光性ピクセルを含む光検出器と
を備え、
前記Ｘ線検出器が、前記シンチレーション装置の表面法線ベクトルに対して平行な主軸を有し、
前記シンチレーション装置が、互いに間隔をあけて配置された複数の溝を有するウェーハ基板を含み、
位相コントラスト画像化のための分析格子の機能が、前記Ｘ線検出器に統合されるように、それぞれの前記溝が、前記シンチレーション装置の第１の面から前記ウェーハ基板内への第１の方向に沿った深さまで延び、それぞれの前記溝が、シンチレーション材料で少なくとも部分的に満たされており、
前記複数の溝のうちの少なくとも一部の溝が前記主軸に対して傾くような態様で、前記複数の溝のうちの少なくとも一部の溝の前記第１の方向が、前記主軸とは異なっており、
前記シンチレーション装置の中心領域に配置された溝の前記第１の方向と前記主軸との間の角度が、前記シンチレーション装置の外側領域に配置された溝の前記第１の方向と前記主軸との間の角度よりも小さい、
Ｘ線検出器。
【請求項２】
前記外側領域に配置された溝の方が、前記中心領域に配置された溝よりも前記主軸に対して傾いている、
請求項１に記載のＸ線検出器。
【請求項３】
前記シンチレーション装置が、前記主軸に対して平行な第１の方向を有する少なくとも１つの溝を有し、
当該少なくとも１つの溝が、前記シンチレーション装置の中心領域に配置された、
請求項１又は２に記載のＸ線検出器。
【請求項４】
前記溝の前記第１の方向と前記主軸との間の角度が、前記溝から前記シンチレーション装置の中心領域までの距離の増大とともに増大する、
請求項１から３のいずれか一項に記載のＸ線検出器。
【請求項５】
それぞれの前記溝が、シンチレーション材料で完全に満たされている、
請求項１から４のいずれか一項に記載のＸ線検出器。
【請求項６】
それぞれの前記溝が、長手の延伸方向に沿って複数の区画に分割された、
請求項１から５のいずれか一項に記載のＸ線検出器。
【請求項７】
前記溝の少なくとも一部の溝が、長方形、台形、管形、円筒形、円錐形又は非対称形の形状を有する、
請求項１から６のいずれか一項に記載のＸ線検出器。
【請求項８】
平面検出器である、
請求項１から７のいずれか一項に記載のＸ線検出器。
【請求項９】
前記ウェーハ基板がシリコンを含み、且つ／又は
前記シンチレーション材料が、ＣｓＪ、ＮａＪ、ＣｓＩ（Ｔｌ）、ＣｓＩ（Ｎａ）、ＣｓＩ（ｐｕｒｅ）、ＣｓＦ、ＫＩ（Ｔｌ）、ＬｉＩ（Ｅｕ）及び酸硫化ガドリニウムのうちの少なくとも１つを含む、
請求項１から８のいずれか一項に記載のＸ線検出器。
【請求項１０】
それぞれの前記溝が、０．５ｍｍから５ｍｍの深さを有し、且つ／又は
それぞれの前記溝が、１μｍから２００μｍの幅を有する、
請求項１から９のいずれか一項に記載のＸ線検出器。
【請求項１１】
それぞれの前記溝が、長手の延伸方向に沿った長さを有し、前記長さが、前記光検出器の単一の感光性ピクセルの長さと一致する、
請求項１から１０のいずれか一項に記載のＸ線検出器。
【請求項１２】
位相コントラスト画像化システム内での請求項１から１１のいずれか一項に記載のＸ線検出器の使用。
【請求項１３】
位相コントラスト画像化システムの光軸周りに中心を有するＸ線のビームを放出するＸ線源と、
請求項１から１１のいずれか一項に記載のＸ線検出器と、
前記Ｘ線源と前記Ｘ線検出器との間に配置された少なくとも１つの格子と
を備え、
前記Ｘ線検出器の前記主軸が、前記位相コントラスト画像化システムの前記光軸に対して平行である、
位相コントラスト画像化システム。
【請求項１４】
それぞれの前記溝の前記第１の方向が、前記位相コントラスト画像化システムの焦点スポット及び／又は前記Ｘ線源の方を向くように、前記Ｘ線検出器が配置された、
請求項１３に記載の位相コントラスト画像化システム。
【請求項１５】
位相コントラスト画像化システム用のＸ線検出器を製造する方法であって、前記方法は、
ウェーハ基板に複数の溝を形成するステップであって、前記溝が互いに間隔をあけて配置されるように、及びそれぞれの前記溝が、前記ウェーハ基板の表面から前記ウェーハ基板内への第１の方向に沿った深さまで延びるように、前記溝を形成するステップと、
位相コントラスト画像化のための分析格子の機能が前記Ｘ線検出器に統合されるように、それぞれの前記溝を、シンチレーション材料で少なくとも部分的に満たすステップと、
少なくとも部分的に満たされた前記溝を有する前記ウェーハ基板を光検出器上に配置するステップと
を有し、
前記Ｘ線検出器が、前記ウェーハ基板の表面法線ベクトルに対して平行な主軸を有し、
前記複数の溝のうちの少なくとも一部の溝が前記主軸に対して傾くような態様で、前記複数の溝のうちの少なくとも一部の溝の前記第１の方向が、前記主軸とは異なっており、
シンチレーション装置の中心領域に配置された溝の前記第１の方向と前記主軸との間の角度が、前記シンチレーション装置の外側領域に配置された溝の前記第１の方向と前記主軸との間の角度よりも小さい、
方法。
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
ブロックチェーンネットワーク内の第1のノードと第2のノードとの間のトランザクションの有効性を確認するためのコンセンサスノードによって行われるコンピュータ実施方法であって、前記方法は、
前記トランザクションに関連付けられたトランザクションデータを受信するステップであって、前記トランザクションデータは、複数のアセットを表すデータ、前記トランザクションの第1の乱数とトランザクション金額とを秘匿化している第1のコミットメント、第2の乱数と前記複数のアセットの総額から前記トランザクション金額を差し引くことに基づいて算出された残金とを秘匿化している第2のコミットメント、線形決定論的準同型暗号化(HE)スキームに基づいて前記第2のノードの公開鍵によって双方が暗号化されている前記トランザクション金額および第3の乱数、前記線形決定論的HEスキームに基づいて前記第1のノードの公開鍵によって双方が暗号化されている前記残金および第4の乱数、1つまたは複数の範囲証明、ゼロ知識証明(ZKP)、ならびに前記第1のノードの前記公開鍵に対応する秘密鍵に基づいて生成された電子署名を含む、ステップと、
前記第1のノードの前記公開鍵に基づいて前記電子署名を検証するステップと、
前記トランザクション金額と前記残金との各々がゼロより大きいまたはゼロと等しいことを前記1つまたは複数の範囲証明が証明していると決定するステップと、
前記複数のアセットの前記総額が前記トランザクション金額と前記残金との合計と等しいと決定するステップと、
前記第1の乱数が前記第3の乱数と等しく、前記第2の乱数が前記第4の乱数と等しく、前記第1のコミットメントにおいて秘匿化されている前記トランザクション金額が前記第2のノードの前記公開鍵によって暗号化された前記トランザクション金額と等しいと決定することによって、前記ZKPに基づいて、前記トランザクションが有効であると決定するステップと
を含む、コンピュータ実施方法。
【請求項２】
前記トランザクションは、前記第1のノードに関連付けられたアカウントと前記第2のノードに関連付けられたアカウントとの間で行われ、前記方法は、前記トランザクションが有効であると決定した後に、前記トランザクション金額と前記残金とに基づいて、前記第1のノードに関連付けられた前記アカウントと前記第2のノードに関連付けられた前記アカウントとを更新するステップをさらに含む、請求項1に記載のコンピュータ実施方法。
【請求項３】
前記複数のアセットの各々は、アセットタイプ、コミットメントにおいて秘匿化されているアセット額面、および前記コミットメントを生成するために使用された乱数のうちの1つまたは複数に関連付けられる、請求項1に記載のコンピュータ実施方法。
【請求項４】
前記複数のアセットの各々が同一のアセットタイプに関連付けられていると決定するステップをさらに含む、請求項3に記載のコンピュータ実施方法。
【請求項５】
前記第1のコミットメント、前記第2のコミットメント、および前記アセット額面を秘匿化している前記コミットメントは、準同型であるコミットメントスキームに基づいて生成され、前記複数のアセットの前記総額が前記トランザクション金額と前記残金との前記合計と等しいと決定するステップは、前記コミットメントスキームの準同型に基づいて行われる、請求項3に記載のコンピュータ実施方法。
【請求項６】
前記線形決定論的HEスキームは、確率的HEスキームに関連付けられた乱数を固定数に変更することに基づいて前記確率的HEスキームから導出される、請求項1に記載のコンピュータ実施方法。
【請求項７】
前記ZKPは、第5の乱数と第6の乱数とを秘匿化しているコミットメントを含み、前記第5の乱数と前記第6の乱数との暗号文は、前記線形決定論的HEスキームに基づいて、前記第2のノードの前記公開鍵によって暗号化され、前記第5の乱数と前記第6の乱数との暗号文は、前記線形決定論的HEスキームに基づいて、前記第1のノードの前記公開鍵によって暗号化される、請求項1に記載のコンピュータ実施方法。
【請求項８】
前記ZKPは、前記トランザクションが前記線形決定論的HEスキームの特性に基づいて有効であると決定するために生成および使用される、請求項1に記載のコンピュータ実施方法。
【請求項９】
前記トランザクションが有効であると決定するステップは、前記ブロックチェーンネットワークの外部を経由し、前記第1のノードと前記第2のノードとの間のインタラクションを用いることなく、前記ZKPに基づいて行われる、請求項1に記載のコンピュータ実施方法。
【請求項１０】
1つまたは複数のコンピュータに結合されているとともに、請求項1から9のうちの1つまたは複数に記載の方法による動作を行うように、前記1つまたは複数のコンピュータによって実行可能な命令で構成される、非一時的コンピュータ可読記憶媒体。
【請求項１１】
1つまたは複数のコンピュータと、
前記1つまたは複数のコンピュータに結合されているとともに、請求項1から9のうちの1つまたは複数に記載の方法による動作を行うように、前記1つまたは複数のコンピュータによって実行可能な命令で構成される、1つまたは複数のコンピュータ可読メモリと
を含む、システム。
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
ウィンドウと、
前記ウィンドウのいずれか一方の面上に偏光層とタッチセンサ層とを含む、光学積層体。
【請求項２】
前記ウィンドウは、一方の面および他方の面を含み、
前記偏光層及び前記タッチセンサ層は、前記一方の面上に積層され、前記他方の面は視認側に配置される、請求項１に記載の光学積層体。
【請求項３】
下記数式１を満たす、請求項１に記載の光学積層体。
[数式１]
３００Ｍｐａ％≦修正靭性
（数式１中、前記修正靭性は、前記光学積層体の応力−ひずみ曲線（stress−strain curve）の破壊点における応力（Ｍｐａ）とひずみ（％）の積である。）
【請求項４】
前記修正靭性は４００Ｍｐａ％以上である、請求項３に記載の光学積層体。
【請求項５】
前記修正靭性は１，０００Ｍｐａ％以下である、請求項３に記載の光学積層体。
【請求項６】
前記ウィンドウは、高分子材質の光学基材を含む、請求項１に記載の光学積層体。
【請求項７】
前記ウィンドウは、前記光学基材の一方の面または両面上にハードコート層をさらに含む、請求項６に記載の光学積層体。
【請求項８】
前記ウィンドウは、前記光学基材の一方の面または両面上に機能層をさらに含む、請求項６に記載の光学積層体。
【請求項９】
前記機能層は、紫外線遮断層、飛散防止層または指紋防止層の少なくとも一つを含む、請求項８に記載の光学積層体。
【請求項１０】
前記ウィンドウの前記一方の面の外郭部上に遮光パターンをさらに含む、請求項１に記載の光学積層体。
【請求項１１】
前記遮光パターンは、前記偏光層又は前記タッチセンサ層と同じレベルに位置する、請求項１０に記載の光学積層体。
【請求項１２】
前記ウィンドウの修正靭性は１０，０００Ｍｐａ％以上である、請求項１に記載の光学積層体。
【請求項１３】
前記ウィンドウは、３８０ｎｍの紫外線波長に対して１５％以下の透過率を有する、請求項１に記載の光学積層体。
【請求項１４】
前記ウィンドウは、１ｋｇ荷重において３Ｈ以上の鉛筆硬度を有する、請求項１に記載の光学積層体。
【請求項１５】
前記ウィンドウのマルテンス硬度は、１０ｍＮ荷重において２００Ｎ／ｍｍ２以上である、請求項１に記載の光学積層体。
【請求項１６】
前記ウィンドウは、下記数式２を満たす、請求項１に記載の光学積層体。
[数式２]
（摩擦係数／水接触角）*１，０００≦２．５／ｄｅｇｒｅｅ（°）
【請求項１７】
前記偏光層は、延伸型またはコーティング型の偏光子を含む、請求項１に記載の光学積層体。
【請求項１８】
前記偏光層は、前記偏光子の一方の面または前記一方の面と対向する他方の面の少なくともいずれか一方の面上に保護フィルムをさらに含む、請求項１７に記載の光学積層体。
【請求項１９】
前記保護フィルムは、位相差フィルムを含む、請求項１８に記載の光学積層体。
【請求項２０】
前記保護フィルムは、前記偏光子の両面上にそれぞれ形成される第１の保護フィルム及び第２の保護フィルムを含み、
前記第２の保護フィルムは、前記位相差フィルムである、請求項１９に記載の光学積層体。
【請求項２１】
前記コーティング型偏光子は、液晶層を含む、請求項１７に記載の光学積層体。
【請求項２２】
前記液晶層は、前記ウィンドウと接触する、請求項２１に記載の光学積層体。
【請求項２３】
前記コーティング型偏光子は、前記ウィンドウと前記液晶層との間に配向膜をさらに含む、請求項２１に記載の光学積層体。
【請求項２４】
前記コーティング型偏光子は、前記液晶層上にオーバーコート層をさらに含む、請求項２１に記載の光学積層体。
【請求項２５】
前記偏光層の偏光度は９５％以上である、請求項１に記載の光学積層体。
【請求項２６】
前記偏光層の光透過率は４２％以上である、請求項１に記載の光学積層体。
【請求項２７】
前記偏光層の収縮力は１．５Ｎ以下である、請求項１に記載の光学積層体。
【請求項２８】
前記タッチセンサ層は、電極を含む、請求項１に記載の光学積層体。
【請求項２９】
前記タッチセンサ層は、基材をさらに含み、
前記電極は、前記基材の上面に形成される、請求項２８に記載の光学積層体。
【請求項３０】
前記電極は、前記ウィンドウまたは前記偏光層上に直接形成される、請求項２８に記載の光学積層体。
【請求項３１】
前記電極は、互いに交差する方向に配列される第１の電極及び第２の電極を含む、請求項２８に記載の光学積層体。
【請求項３２】
前記第１の電極は、前記偏光層の上面上に配置され、
前記第２の電極は、前記偏光層の下面上に配置される、請求項３１に記載の光学積層体。
【請求項３３】
前記電極は、５００Ω／□以下の面抵抗を有する、請求項２８に記載の光学積層体。
【請求項３４】
前記電極は、１．５ｎｍ以下の表面粗さを有する、請求項２８に記載の光学積層体。
【請求項３５】
前記電極の屈折率は、１．３〜２．５である、請求項２８に記載の光学積層体。
【請求項３６】
前記タッチセンサ層の光透過率は８５％以上である、請求項１に記載の光学積層体。
【請求項３７】
前記偏光層及び前記タッチセンサ層は、前記ウィンドウの前記一方の面から順次配置される、請求項１に記載の光学積層体。
【請求項３８】
前記タッチセンサ層及び前記偏光層は、前記ウィンドウの前記一方の面から順次配置される、請求項１に記載の光学積層体。
【請求項３９】
前記ウィンドウと前記偏光層との間、前記ウィンドウと前記タッチセンサ層との間、または前記偏光層と前記タッチセンサ層との間の少なくとも一つに配置された粘接着層をさらに含む、請求項１に記載の光学積層体。
【請求項４０】
請求項１〜３９のいずれか一項に記載の光学積層体を含む、画像表示装置。